(57)【要約】【課題】  本発明により、壁面からの突起が僅かであって、取り外しの操作性が良く、掛止具の取り付けが簡易で、壁面に釘穴を残さず、誤って強く引っ張っても壁面に取り付けた掛止具が外れる心配がない接着取付式リモコン掛止具を提供する。【解決手段】  リモコンを壁面に掛止するための掛止具であって、片面に接着剤等が塗布され、壁面などに接着して使用するシート状又はプレート状の台座ａと、片面に接着剤等が塗布され、リモコンに接着して使用するシート状の台座ｂと、１組又は複数組のスナップボタンからなり、該スナップボタンの凸部又は凹部が前記台座ａに１個以上取り付けられ、該スナップボタンの凸部又は凹部と対をなすスナップボタンが台座ｂに取り付けられた構造であることを特徴とする掛止具。【選択図】図１
2019083499.tif 000002
【特許請求の範囲】
【請求項１】
リモコンを壁面等に掛止するための掛止具であって、片面に接着剤等が塗布され、壁面などに接着して使用するシート状又はプレート状の台座ａと、片面に接着剤等が塗布され、リモコンに接着して使用するシート状の台座ｂと、１組又は複数組のスナップボタンからなり、該スナップボタンの凸部又は凹部が前記台座ａに１個以上取り付けられ、該スナップボタンの凸部又は凹部と対をなすスナップボタンが台座ｂに取り付けられた構造であることを特徴とするリモコン掛止具。
【請求項２】
請求項１記載のリモコン係止具において、台座ａに代えて片面に接着剤等が塗布され該接着剤等と１本の針状物質により壁面等に固定される構造からなる台座ｃを備えたリモコン係止具。
【請求項３】
請求項１又は請求項２に記載のリモコン係止具において、台座ｂに代えて自動巻き取り機構等により自動でリモコン内部に収納される台座ｄを備えたリモコン係止具。
【発明の詳細な説明】
【技術分野】
【０００１】  この発明は壁面などに固定して使用する、リモコン掛止具に関するものである。
【背景技術】
【０００２】  従来、リモコンを壁面などに掛止する方法として、壁面に釘を打ち込み、該釘にリモコン裏面の凹み部を係合することにより掛止するのが一般的であった。しかし、釘を壁面に打ち込む場合、リモコンを外している際に釘の頭部が露出することで壁面の景観を損ねることになり、また場合によっては衣服などが釘頭部に引っかかってしまうという欠点があった。【０００３】  また、壁に刺した釘からリモコンを外す場合、リモコンを横方向に引っ張るだけでは掛止が外れず、リモコンを上方向に移動させて掛止具から外すという動作が必要となり、取り外す際の操作性が良いとは言い難いものであった。【０００４】  更には、壁面に釘を刺してリモコンを掛止する場合、金づちなどを用いて釘を打ち込む作業が必要となり、これは少なからず手間がかかってしまうという欠点があり、更には、壁面に大きな釘穴が残ってしまうという欠点があった。
【発明の概要】
【発明が解決しようとする課題】
【０００５】  一方、釘を使用せずにリモコンを壁面に掛止する方法として、壁面に鈎状フックを接着又は押しピンにより取り付け、リモコンに掛止部を取り付け、該鈎状フックと該掛止部を係合することで壁面にリモコンを掛止する方法、又は、専用掛止具を壁面に接着又はピン止めにより固定する方法が一般的に用いられている。【０００６】  しかし、０００５段落に記載の方法では、壁面からの突起部が必要となり、０００２段落記載の欠点は解消されるものではなく、又、リモコンを誤って横方向に強い力で引っ張った場合、壁面に取り付けられている鈎状フックが外れてしまう恐れがあるという欠点があった。
そこで、本発明において、壁面からの突起が僅かであって、取り外しの操作性が良く、掛止具の取り付けが簡易で、壁面に大きな釘穴を残さず、誤って強く引っ張っても壁面に取り付けた掛止具が外れる心配がないリモコン掛止具を提供する。
【課題を解決するための手段】
【０００７】  第１の課題解決手段に係るリモコン掛止具は、リモコンを壁面に掛止するための掛止具であって、片面に接着剤等が塗布され、壁面などに接着して使用するシート状又はプレート状の台座ａと、片面に接着剤等が塗布され、リモコンに接着して使用するシート状の台座ｂと、１組又は複数組のスナップボタンからなり、該スナップボタンの凸部又は凹部が前記台座ａに１個以上取り付けられ、該スナップボタンの凸部又は凹部と対をなすスナップボタンが台座ｂに取り付けられた構造であることを特徴とするリモコン掛止具（第１発明）である。【０００８】  ここで、前記掛止具の１例として台座ａ及び台座ｂが幅２０ｍｍ、厚さ１ｍｍ、長さ５０ｍｍ程度の人口皮革製で、片面に、接着強さ５ｃｍ２あたり５０ｋｇ程度の両面テープを接着した構造からなり、又、１組のスナップボタンとして一般的にバネホックと呼ばれているスナップボタンを用い、該バネホックの凸部を前記台座ａに取り付けた構造のものが挙げられる。【０００９】  第２の課題解決手段に係るリモコン掛止具は、第１発明に記載のリモコン係止具において、台座ａに代えて片面に接着剤等が塗布され該接着剤等と１本の針状物質により壁面等に固定される構造からなる台座ｃを備えたリモコン掛止具（第２発明）である。【００１０】  前記第２発明において、台座ｃの固定方法として１本の針状物質と接着剤等による接着効果の併用方式を採用することにより、特に保持力の弱い石膏ボード製壁面に固定する場合に効果を発揮する。【００１１】  ここで、石膏ボード製壁面に台座ｃを固定する方法として強力な接着剤による接着効果のみで固定する方法も考えられるが、その場合、平面方向に加わる力により長期間の使用で接着面のずれが生じ、最終的には台座ｃが壁面から外れてしまうことが起こり得る。その対策として、接着力を強化する手段もあるが、その場合、台座ｃを壁面から外す際に壁紙を損傷してしまう恐れがある。
一方、台座ｃを針状物質のみで石斛ボード製壁面に固定する場合、石膏ボードの保持力の弱さからスナップボタンの係止を外す際に働く面と鉛直方向の力により台座ｃが壁面から抜け落ちてしまうことが想定される。【００１２】  本発明において、平面方向に加わる力に対しては１本の細釘により台座ｃのずれ防止を担い、スナップボタンの係止を外す際に働く面と鉛直方向の力に対しては接着剤等による接着効果で台座ｃの脱落防止を担うことで、接着力を必要最低限に抑えることにより、台座ｃを壁紙から外す際の壁紙の損傷を防ぐことが出来る。【００１３】  第３の課題解決手段に係るリモコン掛止具は、第１発明又は第２発明に記載のリモコン係止具において、台座ｂに代えて自動巻き取り機構等により自動でリモコン内部に収納される台座ｄを備えたリモコン係止具（第３発明）である。
【発明の効果】
【００１４】  第１の効果に、第１発明に係る発明品は壁面などへの固定方法が接着取付式であることにあり、取り付けに手間がかからず壁面に穴が残らないこと、更に、ガラス面、鋼製面にも取り付けが可能であるという構造にある。【００１５】  第２の効果に、第２発明に係る発明品は台座ｃの壁面への固定方法として１本の針状物質と接着効果の併用としてことで、台座ｃの壁面への取り付け操作が極めて簡素化されたところにある。従来、石膏ボード製壁面への係止具の固定方法は複数の細釘により固定する方法などさまざまであるが、そのうち最も簡易な固定方法はプッシュピンなどの鋲形状をした係止具であり、本発明品の取り付け操作はプッシュピンと同様であり、最も簡易な固定方法で取り付け可能である。【００１６】  第３の効果に、本発明品に用いるスナップボタンの係止力に対し、それを上回る強度で本発明品を壁面に固定することで、強い力でリモコンを引っ張った場合においても、最初にスナップボタンが外れることで掛止具が壁面から外れることを防ぐことができる構造にあり、これは０００５段落に記載の掛止方法にはないものである。【００１７】  第４の効果に、本発明品の掛止機構にスナップボタンを用いることにより、リモコンを取り外す際には、引っ張ることで掛止が外れるという鈎状掛止具にはない取り外しの際の操作性の良さが挙げられる。【００１８】  第５の効果に、第３発明に係る発明品は壁面から外して使用する際にはリモコンに取り付けられた台座が自動で内部に収納されるため、リモコン操作時に台座が干渉することがないことが挙げられる。
【図面の簡単な説明】
【００１９】
【図１】請求項１に係るリモコン掛止具の斜視図を示す。
【図２】請求項１に係るリモコン掛止具の説明図を示す。
【図３】請求項１に係るリモコン係止具の断面図を示す。
【図４】請求項２に係るリモコン係止具の断面図を示す。
【図５】請求項３に係るリモコン係止具の説明図を示す。
【発明を実施するための形態】
【００２０】  図１及び図３は請求項１に係るリモコン掛止具の斜視図及び断面図を示す。
台座ａ（１）に凸型スナップボタン（２）が取り付けられた掛止具が両面テープ（３）により壁面（４）に接着され、該凸型スナップボタン（２）と対をなす凹型スナップボタン（５）が取り付けられた台座ｂ（６）がリモコン（７）に接着された状態において、凸型スナップボタン（２）と凹型スナップボタン（５）の嵌合力によりリモコン（７）を壁面（４）に掛止する構造からなる。
【００２１】  図２は請求項１に係るリモコン掛止具の説明図を示す。
凹型スナップボタン（５）が取り付けられたＴ字型をした台座ｂ（６）が両面テープ（３）によりリモコン（７）に取り付けられた状態を示している。ここで、台座ｂ（６）は必ずしもＴ字形である必要はないが、使い勝手の良さ及び接着力の強さを保てることからこの形状は台座ｂ（６）として適した形状である。
【００２２】  図４は請求項２に係るリモコン係止具の断面図を示す。
台座ｃ（８）に凸型スナップボタン（２）が取り付けられた掛止具が両面テープ（３）及び針状物質（９）により壁面（４）に固定され、該凸型スナップボタン（２）と対をなす凹型スナップボタン（５）が取り付けられた台座ｂ（６）がリモコン（７）に接着された状態において、凸型スナップボタン（２）と凹型スナップボタン（５）の嵌合力によりリモコン（７）を壁面（４）に掛止する構造からなる。
【００２３】  図５は請求項３に係るリモコン係止具の説明図を示す。
図５（ａ）は壁面に掛止した状態であり、台座ｄ（１０）は適当な長さでリモコン（７）から引き出た状態となっている。
図５（ｂ）は掛止を外した状態であり、台座ｄ（１０）は自動巻き取り機構等によりリモコン（７）内部に収納された状態となっている。
【符号の説明】
【００２４】  １  台座ａ
２  凸形スナップボタン
３  両面テープ
４  壁面
５  凹型スナップボタン
６  台座ｂ
７  リモコン
８  台座ｃ
９  針状物質
１０  台座ｄ
【図１】
2019083499.tif 000003
【図２】
2019083499.tif 000004
【図３】
2019083499.tif 000005
【図４】
2019083499.tif 000006
【図５】
2019083499.tif 000007
【手続補正書】
【提出日】平成30年4月15日(2018.4.15)
【手続補正１】
【補正対象書類名】特許請求の範囲
【補正対象項目名】全文
【補正方法】変更
【補正の内容】
【特許請求の範囲】
【請求項１】
リモコンを壁面に掛止するための掛止具であって、片面に接着剤が塗布され、壁面に接着して使用するシート状又はプレート状の台座ａと、片面に接着剤が塗布され、リモコンに接着して使用するシート状の台座ｂと、１組又は複数組のバネホックからなり、該バネホックの凸部又は凹部が前記台座ａに１個以上取り付けられ、該バネホックの凸部又は凹部と対をなすバネホックが台座ｂに取り付けられた構造であることを特徴とするリモコン掛止具。
【請求項２】
請求項１記載のリモコン掛止具において、台座ａに代えて片面に接着剤が塗布され該接着剤と１本の針状物質により壁面に固定される構造からなる台座ｃを備え、該針状物質が鋲形状をなすようにバネホックの凸部又は凹部に一体化された構造からなるリモコン掛止具。
【請求項３】
請求項１又は請求項２に記載のリモコン掛止具において、台座ｂに代えて自動巻き取り機構により自動でリモコン内部に収納される台座ｄを備えたリモコン掛止具。
【手続補正２】
【補正対象書類名】明細書
【補正対象項目名】全文
【補正方法】変更
【補正の内容】
【発明の詳細な説明】
【技術分野】
【０００１】この発明は壁面に固定して使用する、リモコン掛止具に関するものである。
【背景技術】
【０００２】従来、リモコンを壁面に掛止する方法として、壁面に釘を打ち込み、該釘にリモコン裏面の凹み部を係合することにより掛止するのが一般的であった。しかし、釘を壁面に打ち込む場合、リモコンを外している際に釘の頭部が露出することで壁面の景観を損ねることになり、また場合によっては衣服などが釘頭部に引っかかってしまうという欠点があった。【０００３】また、壁に刺した釘からリモコンを外す場合、リモコンを横方向に引っ張るだけでは掛止が外れず、リモコンを上方向に移動させて掛止具から外すという動作が必要となり、取り外す際の操作性が良いとは言い難いものであった。【０００４】更には、壁面に釘を刺してリモコンを掛止する場合、金づちなどを用いて釘を打ち込む作業が必要となり、これは少なからず手間がかかってしまうという欠点があり、更には、壁面に大きな釘穴が残ってしまうという欠点があった。
【発明の概要】
【発明が解決しようとする課題】
【０００５】一方、釘を使用せずにリモコンを壁面に掛止する方法として、壁面に鈎状フックを接着又は押しピンにより取り付け、リモコンに掛止部を取り付け、該鈎状フックと該掛止部を係合することで壁面にリモコンを掛止する方法、又は、専用掛止具を壁面に接着又はピン止めにより固定する方法が一般的に用いられている。【０００６】しかし、０００５段落に記載の方法では、壁面からの突起部が必要となり、０００２段落記載の欠点は解消されるものではなく、又、リモコンを誤って横方向に強い力で引っ張った場合、壁面に取り付けられている鈎状フックが外れてしまう恐れがあるという欠点があった。
そこで、本発明において、壁面からの突起が僅かであって、取り外しの操作性が良く、掛止具の取り付けが簡易で、壁面に大きな釘穴を残さず、誤って強く引っ張っても壁面に取り付けた掛止具が外れる心配がないリモコン掛止具を提供する。
【課題を解決するための手段】
【０００７】第１の課題解決手段に係るリモコン掛止具は、リモコンを壁面に掛止するための掛止具であって、片面に接着剤が塗布され、壁面に接着して使用するシート状又はプレート状の台座ａと、片面に接着剤が塗布され、リモコンに接着して使用するシート状の台座ｂと、１組又は複数組のバネホックからなり、該バネホックの凸部又は凹部が前記台座ａに１個以上取り付けられ、該バネホックの凸部又は凹部と対をなすスナップボタンが台座ｂに取り付けられた構造であることを特徴とするリモコン掛止具（第１発明）である。【０００８】ここで、前記掛止具の１例として台座ａ及び台座ｂが幅２０ｍｍ、厚さ１ｍｍ、長さ５０ｍｍ程度の人口皮革製で、片面に、接着強さ５ｃｍ２あたり５０ｋｇ程度の両面テープを接着した構造からなり、又、１組の一般的にバネホックと呼ばれているスナップボタンを用い、該バネホックの凸部を前記台座ａに取り付けた構造のものが挙げられる。【０００９】第２の課題解決手段に係るリモコン掛止具は、第１発明に記載のリモコン掛止具において、台座ａに代えて片面に接着剤が塗布され該接着剤と１本の針状物質により壁面に固定される構造からなる台座ｃを備え、該針状物質が鋲形状をなすようにバネホックの凸部又は凹部に一体化された構造からなるリモコン掛止具（第２発明）である。【００１０】前記第２発明において、台座ｃの固定方法として１本の針状物質と接着剤による接着効果の併用方式を採用することにより、特に保持力の弱い石膏ボード製壁面に固定する場合に効果を発揮する。【００１１】ここで、石膏ボード製壁面に台座ｃを固定する方法として強力な接着剤による接着効果のみで固定する方法も考えられるが、その場合、平面方向に加わる力により長期間の使用で接着面のずれが生じ、最終的には台座ｃが壁面から外れてしまうことが起こり得る。その対策として、接着力を強化する手段もあるが、その場合、台座ｃを壁面から外す際に壁紙を損傷してしまう恐れがある。
一方、台座ｃを針状物質のみで石膏ボード製壁面に固定する場合、石膏ボードの保持力の弱さからバネホックの係止を外す際に働く面と鉛直方向の力により台座ｃが壁面から抜け落ちてしまうことが想定される。【００１２】本発明において、平面方向に加わる力に対しては１本の細釘により台座ｃのずれ防止を担い、バネホックの係止を外す際に働く面と鉛直方向の力に対しては接着剤による接着効果で台座ｃの脱落防止を担うことで、接着力を必要最低限に抑えることにより、台座ｃを壁紙から外す際の壁紙の損傷を防ぐことが出来る。【００１３】第３の課題解決手段に係るリモコン掛止具は、第１発明又は第２発明に記載のリモコン掛止具において、台座ｂに代えて自動巻き取り機構により自動でリモコン内部に収納される台座ｄを備えたリモコン掛止具（第３発明）である。
【発明の効果】
【００１４】第１の効果に、第１発明に係る発明品は壁面への固定方法が接着取付式であることにあり、取り付けに手間がかからず壁面に穴が残らないこと、更に、ガラス面、鋼製面にも取り付けが可能であるという構造にある。【００１５】第２の効果に、第２発明に係る発明品は台座ｃの壁面への固定方法として１本の針状物質と接着効果の併用としてことで、台座ｃの壁面への取り付け操作が極めて簡素化されたところにある。従来、石膏ボード製壁面への係止具の固定方法は複数の細釘により固定する方法などさまざまであるが、そのうち最も簡易な固定方法はプッシュピンなどの鋲形状をした係止具であり、本発明品の取り付け操作はプッシュピンと同様であり、最も簡易な固定方法で取り付け可能である。【００１６】第３の効果に、本発明品に用いるバネホックの係止力に対し、それを上回る強度で本発明品を壁面に固定することで、強い力でリモコンを引っ張った場合においても、最初にバネホックが外れることで掛止具が壁面から外れることを防ぐことができる構造にあり、これは０００５段落に記載の掛止方法にはないものである。【００１７】第４の効果に、本発明品の掛止機構にバネホックを用いることにより、リモコンを取り外す際には、引っ張ることで掛止が外れるという鈎状掛止具にはない取り外しの際の操作性の良さが挙げられる。【００１８】第５の効果に、第３発明に係る発明品は壁面から外して使用する際にはリモコンに取り付けられた台座が自動で内部に収納されるため、リモコン操作時に台座が干渉することがないことが挙げられる。
【図面の簡単な説明】
【００１９】
【図１】請求項１に係るリモコン掛止具の斜視図を示す。
【図２】請求項１に係るリモコン掛止具の説明図を示す。
【図３】請求項１に係るリモコン掛止具の断面図を示す。
【図４】請求項２に係るリモコン掛止具の断面図を示す。
【図５】請求項３に係るリモコン掛止具の説明図を示す。
【発明を実施するための形態】
【００２０】図１及び図３は請求項１に係るリモコン掛止具の斜視図及び断面図を示す。
台座ａ（１）に凸型バネホック（２）が取り付けられた掛止具が両面テープ（３）により壁面（４）に接着され、該凸型バネホック（２）と対をなす凹型バネホック（５）が取り付けられた台座ｂ（６）がリモコン（７）に接着された状態において、凸型バネホック（２）と凹型バネホック（５）の嵌合力によりリモコン（７）を壁面（４）に掛止する構造からなる。
【００２１】図２は請求項１に係るリモコン掛止具の説明図を示す。
凹型バネホック（５）が取り付けられたＴ字型をした台座ｂ（６）が両面テープ（３）によりリモコン（７）に取り付けられた状態を示している。ここで、台座ｂ（６）は必ずしもＴ字形である必要はないが、使い勝手の良さ及び接着力の強さを保てることからこの形状は台座ｂ（６）として適した形状である。
【００２２】図４は請求項２に係るリモコン係止具の断面図を示す。
台座ｃ（８）に凸型バネホック（２）が取り付けられた掛止具が両面テープ（３）及び凸形バネホックと鋲形状をなすように一体化された針状物質（９）により壁面（４）に固定され、該凸型バネホック（２）と対をなす凹型バネホック（５）が取り付けられた台座ｂ（６）がリモコン（７）に接着された状態において、凸型バネホック（２）と凹型バネホック（５）の嵌合力によりリモコン（７）を壁面（４）に掛止する構造からなる。
【００２３】図５は請求項３に係るリモコン係止具の説明図を示す。
図５（ａ）は壁面に掛止した状態であり、台座ｄ（１０）は適当な長さでリモコン（７）から引き出た状態となっている。
図５（ｂ）は掛止を外した状態であり、台座ｄ（１０）は自動巻き取り機構等によりリモコン（７）内部に収納された状態となっている。
【符号の説明】
【００２４】  １  台座ａ
２  凸形バネホック
３  両面テープ
４  壁面
５  凹型バネホック
６  台座ｂ
７  リモコン
８  台座ｃ
９  針状物質
１０  台座ｄ
【手続補正書】
【提出日】平成30年7月7日(2018.7.7)
【手続補正１】
【補正対象書類名】特許請求の範囲
【補正対象項目名】全文
【補正方法】変更
【補正の内容】
【特許請求の範囲】
【請求項１】
リモコンを壁面に掛止するための掛止具であって、片面に接着剤が塗布され、壁面に接着して使用するシート状又はプレート状の台座ａと、片面に接着剤が塗布され、リモコンに接着して使用するシート状の台座ｂと、１組又は複数組のバネホックからなり、該バネホックの凸部又は凹部が前記台座ａに１個以上取り付けられ、該バネホックの凸部又は凹部と対をなすバネホックが台座ｂに取り付けられた構造であることを特徴とするリモコン掛止具。
【請求項２】
請求項１記載のリモコン掛止具において、台座ａに代えて片面に接着剤が塗布され該接着剤と１本の針状物質により壁面に固定される構造からなる台座ｃを備えたリモコン掛止具。
【請求項３】
請求項１又は請求項２に記載のリモコン掛止具において、台座ｂに代えて自動巻き取り機構により自動でリモコン内部に収納される台座ｄを備えたリモコン掛止具。
【手続補正２】
【補正対象書類名】明細書
【補正対象項目名】全文
【補正方法】変更
【補正の内容】
【発明の詳細な説明】
【技術分野】
【０００１】この発明は壁面に固定して使用する、リモコン掛止具に関するものである。
【背景技術】
【０００２】従来、リモコンを壁面に掛止する方法として、壁面に釘を打ち込み、該釘にリモコン裏面の凹み部を係合することにより掛止するのが一般的であった。しかし、釘を壁面に打ち込む場合、リモコンを外している際に釘の頭部が露出することで壁面の景観を損ねることになり、また場合によっては衣服などが釘頭部に引っかかってしまうという欠点があった。【０００３】また、壁に刺した釘からリモコンを外す場合、リモコンを横方向に引っ張るだけでは掛止が外れず、リモコンを上方向に移動させて掛止具から外すという動作が必要となり、取り外す際の操作性が良いとは言い難いものであった。【０００４】更には、壁面に釘を刺してリモコンを掛止する場合、金づちなどを用いて釘を打ち込む作業が必要となり、これは少なからず手間がかかってしまうという欠点があり、更には、壁面に大きな釘穴が残ってしまうという欠点があった。
【発明の概要】
【発明が解決しようとする課題】
【０００５】一方、釘を使用せずにリモコンを壁面に掛止する方法として、壁面に鈎状フックを接着又は押しピンにより取り付け、リモコンに掛止部を取り付け、該鈎状フックと該掛止部を係合することで壁面にリモコンを掛止する方法、又は、専用掛止具を壁面に接着又はピン止めにより固定する方法が一般的に用いられている。【０００６】しかし、０００５段落に記載の方法では、壁面からの突起部が必要となり、０００２段落記載の欠点は解消されるものではなく、又、リモコンを誤って横方向に強い力で引っ張った場合、壁面に取り付けられている鈎状フックが外れてしまう恐れがあるという欠点があった。
そこで、本発明において、壁面からの突起が僅かであって、取り外しの操作性が良く、掛止具の取り付けが簡易で、壁面に大きな釘穴を残さず、誤って強く引っ張っても壁面に取り付けた掛止具が外れる心配がないリモコン掛止具を提供する。
【課題を解決するための手段】
【０００７】第１の課題解決手段に係るリモコン掛止具は、リモコンを壁面に掛止するための掛止具であって、片面に接着剤が塗布され、壁面に接着して使用するシート状又はプレート状の台座ａと、片面に接着剤が塗布され、リモコンに接着して使用するシート状の台座ｂと、１組又は複数組のバネホックからなり、該バネホックの凸部又は凹部が前記台座ａに１個以上取り付けられ、該バネホックの凸部又は凹部と対をなすスナップボタンが台座ｂに取り付けられた構造であることを特徴とするリモコン掛止具（第１発明）である。【０００８】ここで、前記掛止具の１例として台座ａ及び台座ｂが幅２０ｍｍ、厚さ１ｍｍ、長さ５０ｍｍ程度の人口皮革製で、片面に、接着強さ５ｃｍ２あたり５０ｋｇ程度の両面テープを接着した構造からなり、又、１組の一般的にバネホックと呼ばれているスナップボタンを用い、該バネホックの凸部を前記台座ａに取り付けた構造のものが挙げられる。【０００９】第２の課題解決手段に係るリモコン掛止具は、第１発明に記載のリモコン掛止具において、台座ａに代えて片面に接着剤が塗布され該接着剤と１本の針状物質により壁面に固定される構造からなる台座ｃを備え、リモコン掛止具（第２発明）である。【００１０】前記第２発明において、台座ｃの固定方法として１本の針状物質と接着剤による接着効果の併用方式を採用することにより、特に保持力の弱い石膏ボード製壁面に固定する場合に効果を発揮する。【００１１】ここで、石膏ボード製壁面に台座ｃを固定する方法として強力な接着剤による接着効果のみで固定する方法も考えられるが、その場合、平面方向に加わる力により長期間の使用で接着面のずれが生じ、最終的には台座ｃが壁面から外れてしまうことが起こり得る。その対策として、接着力を強化する手段もあるが、その場合、台座ｃを壁面から外す際に壁紙を損傷してしまう恐れがある。
一方、台座ｃを針状物質のみで石膏ボード製壁面に固定する場合、石膏ボードの保持力の弱さからバネホックの係止を外す際に働く面と鉛直方向の力により台座ｃが壁面から抜け落ちてしまうことが想定される。【００１２】本発明において、平面方向に加わる力に対しては１本の細釘により台座ｃのずれ防止を担い、バネホックの係止を外す際に働く面と鉛直方向の力に対しては接着剤による接着効果で台座ｃの脱落防止を担うことで、接着力を必要最低限に抑えることにより、台座ｃを壁紙から外す際の壁紙の損傷を防ぐことが出来る。【００１３】第３の課題解決手段に係るリモコン掛止具は、第１発明又は第２発明に記載のリモコン掛止具において、台座ｂに代えて自動巻き取り機構により自動でリモコン内部に収納される台座ｄを備えたリモコン掛止具（第３発明）である。
【発明の効果】
【００１４】第１の効果に、第１発明に係る発明品は壁面への固定方法が接着取付式であることにあり、取り付けに手間がかからず壁面に穴が残らないこと、更に、ガラス面、鋼製面にも取り付けが可能であるという構造にある。【００１５】第２の効果に、第２発明に係る発明品は台座ｃの壁面への固定方法として１本の針状物質と接着効果の併用としてことで、台座ｃの壁面への取り付け操作が極めて簡素化されたところにある。従来、石膏ボード製壁面への係止具の固定方法は複数の細釘により固定する方法などさまざまであるが、そのうち最も簡易な固定方法はプッシュピンなどの鋲形状をした係止具であり、本発明品の取り付け操作はプッシュピンと同様であり、最も簡易な固定方法で取り付け可能である。【００１６】第３の効果に、本発明品に用いるバネホックの係止力に対し、それを上回る強度で本発明品を壁面に固定することで、強い力でリモコンを引っ張った場合においても、最初にバネホックが外れることで掛止具が壁面から外れることを防ぐことができる構造にあり、これは０００５段落に記載の掛止方法にはないものである。【００１７】第４の効果に、本発明品の掛止機構にバネホックを用いることにより、リモコンを取り外す際には、引っ張ることで掛止が外れるという鈎状掛止具にはない取り外しの際の操作性の良さが挙げられる。【００１８】第５の効果に、第３発明に係る発明品は壁面から外して使用する際にはリモコンに取り付けられた台座が自動で内部に収納されるため、リモコン操作時に台座が干渉することがないことが挙げられる。
【図面の簡単な説明】
【００１９】
【図１】請求項１に係るリモコン掛止具の斜視図を示す。
【図２】請求項１に係るリモコン掛止具の説明図を示す。
【図３】請求項１に係るリモコン掛止具の断面図を示す。
【図４】請求項２に係るリモコン掛止具の断面図を示す。
【図５】請求項３に係るリモコン掛止具の説明図を示す。
【発明を実施するための形態】
【００２０】図１及び図３は請求項１に係るリモコン掛止具の斜視図及び断面図を示す。
台座ａ（１）に凸型バネホック（２）が取り付けられた掛止具が両面テープ（３）により壁面（４）に接着され、該凸型バネホック（２）と対をなす凹型バネホック（５）が取り付けられた台座ｂ（６）がリモコン（７）に接着された状態において、凸型バネホック（２）と凹型バネホック（５）の嵌合力によりリモコン（７）を壁面（４）に掛止する構造からなる。
【００２１】図２は請求項１に係るリモコン掛止具の説明図を示す。凹型バネホック（５）が取り付けられたＴ字型をした台座ｂ（６）が両面テープ（３）によりリモコン（７）に取り付けられた状態を示している。ここで、台座ｂ（６）は必ずしもＴ字形である必要はないが、使い勝手の良さ及び接着力の強さを保てることからこの形状は台座ｂ（６）として適した形状である。
【００２２】図４は請求項２に係るリモコン係止具の断面図を示す。
台座ｃ（８）に凸型バネホック（２）が取り付けられた掛止具が両面テープ（３）及び針状物質（９）により壁面（４）に固定され、該凸型バネホック（２）と対をなす凹型バネホック（５）が取り付けられた台座ｂ（６）がリモコン（７）に接着された状態において、凸型バネホック（２）と凹型バネホック（５）の嵌合力によりリモコン（７）を壁面（４）に掛止する構造からなる。
【００２３】図５は請求項３に係るリモコン係止具の説明図を示す。
図５（ａ）は壁面に掛止した状態であり、台座ｄ（１０）は適当な長さでリモコン（７）から引き出た状態となっている。
図５（ｂ）は掛止を外した状態であり、台座ｄ（１０）は自動巻き取り機構等によりリモコン（７）内部に収納された状態となっている。
【符号の説明】
【００２４】  １  台座ａ
２  凸形バネホック
３  両面テープ
４  壁面
５  凹型バネホック
６  台座ｂ
７  リモコン
８  台座ｃ
９  針状物質
１０  台座ｄ